(57)【要約】【課題】  避難したあと閉じ込められて救助されなくなる危惧をなくすようにした津波避難用装置を提供することを目的とする。【解決手段】  山や高台などの裾部分の内部に避難ホールを形成して表の入口扉により密閉化可能とした津波避難用装置において、前記避難ホールからは裾部分における避難ホールよりも高い位置に通じて抜け出すことのできる二次避難路を備えてなる。【選択図】図２
2014070484.tif 000002
【特許請求の範囲】
【請求項１】
山や高台などの裾部分の内部に避難ホールを形成して表の入口扉により密閉化可能とした津波避難用装置において、前記避難ホールからは裾部分における避難ホールよりも高い位置に通じて抜け出すことのできる二次避難路を備えてなる津波避難用装置。
【発明の詳細な説明】
【技術分野】
【０００１】  本発明は、津波避難用装置に関する。
【背景技術】
【０００２】  大地震の発生に伴って津波が発生することがあるが、その場合、旧来から高台へ登って避難するように教えられている。
ところが高台には避難可能な人と老人などのように避難不能な人とがあり、避難できない人にとっては津波は非常に恐怖なものとなっている。そうした人々のために避難が容易で確実な津波避難用装置が先に提案された。
【先行技術文献】
【特許文献】
【０００３】
【特許文献１】  特開２０１０−１２１４３６
【発明の概要】
【発明が解決しようとする課題】
【０００４】  この特許文献１は、避難不能な人でも安全に避難できるようにした津波避難用装置で、例えば、裾下の下避難路から近い裾部分に掘削洞（避難室）を形成してその内部に内張材と支柱を設けて補強するとともに前面には避難扉を密閉式に備え、かつ避難室内には、内部に溜まる水の排出手段と空調手段を設備してなるものとなっている。
この津波避難用装置は、避難扉を装備して密閉により避難者の安全は確保されるようになっている一方、避難扉が土砂などで閉塞して外部に戻ることができなくなった場合でも避難時警報灯により警報を発して救助を待つことができ安全になっている。
しかし、警報灯自体が津波で破壊されることもありしかもライフライン障害によって警報灯が作動しなくなることも多分にあった。【０００５】  本発明は、このような問題を解決しようとするものであり、避難したあと閉じ込められて救助されなくなる危惧をなくすようにした津波避難用装置を提供することを目的とする。
【課題を解決するための手段】
【０００６】  本発明は上記目的を達成するため、請求項１に記載の発明は、山や高台などの裾部分の内部に避難ホールを形成して表の入口扉により密閉化可能とした津波避難用装置において、前記避難ホールからは裾部分における避難ホールよりも高い位置に通じて抜け出すことのできる二次避難路を備えてなる。
【発明の効果】
【０００７】  上述したように本発明は、山や高台などの裾部分の内部に避難ホールを形成して表の入口扉により密閉化可能とした津波避難用装置において、前記避難ホールからは裾部分における避難ホールよりも高い位置に通じて抜け出すことのできる二次避難路を備えてなるので、避難したあと閉じ込められて救助されなくなる危惧をなくすようにした津波避難用装置を提供することができる。
【図面の簡単な説明】
【０００８】
【図１】  本発明の一実施形態を示す斜視図。
【図２】  図１の縦断面図。
【図３】  他の提案例を示す縦断面図。
【図４】  図３の補助階段を示す斜視図。
【発明を実施するための形態】
【０００９】  以下、本発明の一実施形態を説明する。
図１および図２において、１は沿岸の道路で、山２と海岸３との間に通されている。４は下側避難階段、５は上側避難階段で、これらの階段４，５は、道路１から山２の裾部分２ａに縦斜め向きに沿って設けられた２段階式のものである。６は下側アプローチ、７は上側アプローチで、下側アプローチ６は下側避難階段４を登った踊り場の一側に平坦に基盤形成され、上側アプローチ７は、上側避難階段５を登った個所につながるように平坦に基盤形成されている。下側アプローチ６は階段４，５を基準にすると向かって右側中段にまた上側アプローチ７は階段４，５の左側上段にそれぞれ配置されている。これらアプローチ６，７にはそれぞれ緩衝杭８…が立設固定されている。
【００１０】  １０は下側入口扉、１１は上側入口扉で、下側入口扉１０は下側アプローチ６に、上側入口扉１１は上側アプローチ７にそれぞれ面するように裾部分２ａに設けられている。１３は下側避難通路１４を内部に形成した下側避難通路体、１５は上側避難通路１６を内部に形成した上側避難通路体で、これら通路体１３，１５は、下側避難通路体１３が右下位置にまた上側避難通路体１５が左上位置にそれぞれあるように埋設されていて、その各通路１４，１６には複数段階に亘って入口扉１０，１１…が設けられている。
【００１１】  １７は下側避難ホールで、下側ホール体１８内に形成され、１９は上側避難ホールで、上側ホール体２０内に形成されて、腰掛けて避難することのできるベンチ椅子２１とその底受体となる備蓄ロッカー２２とを備える。２３は照明器具で各避難ホール１７，１９に設備され、２４は逆止弁付排水手段で下側避難通路体１３の底側内部に設けられており、これらの電力は、裾部分２ａより高い山腹部２ｂに設置したソーラー発電装置２５により得られるようになっている。尚、両避難ホール１８，１９間は内部避難階段２６により相互連絡され、特に下側避難ホール１８内から上側避難ホール１９内へと高い位置への避難が可能とされている。２７は避難ホール前室で、前記内部避難階段２６の上方に位置している。
【００１２】  ３０は二次避難路３１を内部に有する二次避難路体で、上側避難ホール１９から上向きに垂直に伸びた下部３０ａと、中段の屈曲部（一時休息可能部）３０ｂ、および山腹部２ｂに突出す形で垂直に伸びた上部３０ｃとでなる。上側避難ホール１９から下部３０ａにかけては下部のステップ３３が設けられ、さらに屈曲部３０ｂから上部３０ｃにかけては上部のステップ３４が設けられて、図２のようにさらなる避難を可能にして上端の脱出用扉３５を開けることで脱出避難が可能になっている。尚、３７は上側避難ホール１９から山腹部２ｂまで伸びた給排気管である。
【００１３】  図３は他の提案例を示し、この例は、左下方の平地から立ち上がる階段４０と、その上側のアプローチ４１、および緩衝杭４２を備え、裾部４３内には、避難ホール４４を有する避難ホール体４５を埋め込んである津波避難用装置である。４６は密閉式の入口扉で、避難ホール体４５の前面位置とその少し奥側位置の前後複数段階に設けられている。４８は逆止弁付排水手段、４９はベンチ椅子、５０は備蓄庫、５１は照明器具、５２は空調装置であり、照明器具５１や空調装置５２などへの電源は山腹部５４に設置したソーラー発電装置５５から導引するようになっている。
【００１４】  こうした津波避難用装置において避難ホール４４と山腹部５４上とを連絡する二次避難路５７である二次避難路体５８は、垂直でなく、前傾状に設けられている。５９はステップ、６０は脱出用扉、６１は給排気用パイプであり、二次避難路体５８を前傾状にすることで、その内部のステップ５９の前傾面に配備されることにより垂直状の場合よりも登り易くしかも登る長さも短くなって脱出が楽になるものである。
尚、二次避難路体５８の前傾斜角度は実線のように６０度前後である場合と、仮想線のように３０ないし４５度前後とする場合とがある。
また、補助階段６３は、図４に示すように、ベンチ椅子４９側に固定式に取り付けておいてその上端ステップが前記二次避難路５７内のステップ５９の下端段に臨むようにして続けて登り得るようにしてもよい。この補助階段６３は、上端にフックを備えたものにし、そのフックをステップ５９に係合して二次避難路５７内に収納待機させ必要に応じてステップ５９からフックを外して使用するように構成することもできる。
さらに、アプローチ４１へは、正面からみて左右あるいはその一方である横サイドから上がり傾斜するスロープ６４で避難可能に構成てもよい。
【符号の説明】
【００１５】  ２…山  ２ａ…裾部分  ４，５…避難階段  １０，１１…入口扉  １７，１９…避難ホール  ３１…二次避難路。
【図１】
2014070484.tif 000003
【図２】
2014070484.tif 000004
【図３】
2014070484.tif 000005
【図４】
2014070484.tif 000006